(57)【要約】      （修正有）【課題】ＬＥＤ照明器具における照明角度を調整可能として指向性による照明角度の不良を解決する角度調整座を提供する。【解決手段】角度調整座Ａは、ソケットとＬＥＤ蛍光灯との間に設けられ、側面部２０と、各々外周に嵌合溝片側を有する回転体内側部及び回転体外側部４０とを具える。両嵌合溝片側が相対して円状嵌合溝を形成する。さらに、末端にストッパー７２を有する位置決めツマミ７０と、位置決めツマミに嵌着される位置決め体５０を有し、それらの結合体を側面部２０上部の透孔２１に装着することにより、ストッパー７２を円状嵌合溝に嵌合させる。【選択図】図９
0003175654.tif 000002
【実用新案登録請求の範囲】
【請求項１】
一方の側に複数の結合突起、複数の差込、二つの穿孔を設け、その外周に沿って連続した溝を有する嵌合溝片側を設けると共に他の側に対称な結合座を有する一体成形された回転体外側部と、
上記回転体外側部に相対する側に複数の挿着孔、結合孔、その外周に沿って連続した溝を有する嵌合溝片側を設けると共に他の側に対称な結合座を有する一体成形された回転体内側部と、
上部に透孔、下部に嵌座が設けられると共に、前記回転体内側部および前記回転体外側部からなる結合体に装着する側面部とを具え、
上記結合体は、前記回転体内側部および前記回転体外側部とを相対して、
前記回転体外側部の前記複数の結合突起および前記複数の差込を前記回転体内側部の前記複数の挿着孔および前記複数の結合孔に挿入及び掛合して組み合わせ、
前記回転体内側部および前記回転体外側部の嵌合溝片側が相対してその溝により連通した円状嵌合溝を形成し、
さらに、ツマミ部を具えてその底面に複数の位置決め溝を設け、下方に回転棒を延伸して一体成形してその末端にストッパを一体成形し位置決めツマミと、
左ブロックに二つの凹部を設け、右ブロック両側に該凹部に嵌合する嵌合突起をそれぞれ設けると共にその上部に位置決め突起を設け、前記左ブロックおよび前記右ブロックが前記回転棒を挟んで前記凹部および突起により組み合わされて前記位置決めツマミの前記回転棒に嵌着される位置決め体と、
両側に嵌合突起をそれぞれ設けた嵌合体とを有し、
前記位置決めツマミと前記位置決め体との結合体を前記側面部の前記透孔に装着することにより、その回転棒末端のストッパーを前記回転体内側部および前記回転体外側部とが相対して構成する前記連続した円状嵌合溝に嵌合させて、ツマミの回転操作によって該ストッパーを連通した円状嵌合溝間の通過、掛合を行い、ツマミ部底面に設けた複数の位置決め溝と上記右ブロック上部の位置決め突起との嵌合を挿脱させて上記結合体を側面部に対して回転と位置決めとを可能とし、
前記嵌合体を前記側面部の前記嵌座中に装着して上記結合体を側面部に対して脱落を防止したことを特徴とするＬＥＤ照明器具の角度調整座。
【請求項２】
前記回転体外側部は上記他の側において、ＬＥＤ蛍光灯およびアルミニウム押出型放熱体を装着する結合座を設けていることを特徴とする請求項１に記載のＬＥＤ照明器具の角度調整座。
【考案の詳細な説明】
【技術分野】
【０００１】
本考案は、角度調整座に関し、特に、ＬＥＤ蛍光灯の角度を調整することにより、光線不足を解消する角度調整座に関する。
【背景技術】
【０００２】
以下、従来技術を図面に基づいて説明する。図１４を参照する。図１４は、従来技術によるＬＥＤ蛍光灯および灯座を示す斜視図である。示す斜視図である。図１４に示すように、灯座１０のソケット１１上にＬＥＤ蛍光灯１２が配置されている。ＬＥＤ蛍光灯１２は、固定されていて、揺動させて角度を調整することができない。ＬＥＤ蛍光灯１２内に配置されたＬＥＤライトは、直線的に発光し、放射状に照射されないため、ＬＥＤライトの真下でなければ良好な光源が得られなかった。要するに、照度不足という短所を有していた。
【０００３】
ＬＥＤは、点状光源で、高指向性を有するため、照射面積が従来の発光源と異なり、狭い。発光光度が距離の増加にともない減少するため、デスクスタンドなど、短距離で狭い範囲を照らす照明器具に比較的よく用いられていた。
【０００４】
ＬＥＤ蛍光灯１２の角度を調整することができないという欠点を解決するため、角度調整が可能な構造を考案した。
【先行技術文献】
【特許文献】
【０００５】
【特許文献１】特許第４８７２０２５号公報
【考案の概要】
【考案が解決しようとする課題】
【０００６】
本考案の第１の目的は、LED照明器具における指向性のため照明角度が狭く、照明範囲が限られることを解決する角度調整座を提供することにある。
本考案の第２の目的は、使用上の利便性を向上させるため、角度調整を行なう角度調整座を提供することにある。
【０００７】
上述の目的を達成するため、本考案は、角度調整座を提供する。本考案の角度調整座は、側面部、回転体内側部および回転体外側部からなる主要構造を有する。回転体外側部は、一体成形された複数の結合突起、複数の差込、二つの穿孔、嵌合溝片側、および後部の断面において対称な結合座を有する。回転体内側部は、一体成形された複数の挿着孔、結合孔、１８０度の範囲を有する嵌合溝片側、および後部の断面において対称な結合座を有する。側面部は、上部に透孔が設けられ、下部に嵌座が設けられている。本考案は、位置決め体、嵌合体および位置決めツマミをさらに含む。位置決めツマミは、ツマミの底面に複数の位置決め溝を設けている。ツマミは、下方に回転棒を延伸するように一体成形している。また、末端にストッパを一体成形している。位置決め体は、左ブロックおよび右ブロックからなる。左ブロックは、二つの凹部を設けている。右ブロックは、両側に嵌合突起をそれぞれ設け、上部に位置決め突起を設けている。左ブロックおよび右ブロックは、凹部および突起により組み合わされ、位置決めツマミの回転棒上に嵌着される。嵌合体は、両側に嵌合突起をそれぞれ設けている。
【考案の効果】
【０００８】
本考案の角度調整座は、ＬＥＤ蛍光灯の角度調整のために揺動を行うため、照明角度の不良により光線量が不足するのを解決することができる。また、同時に使用上の利便性を向上させることができる。
【図面の簡単な説明】
【０００９】
【図１】本考案の一実施形態による角度調整座を示す分解斜視図である。
【図２】図１の回転体外側部の内側を示す図である。
【図３】図１の回転体内側部の内側を示す図である。
【図４】本考案の位置決め体を示す分解斜視図である。
【図５】本考案の嵌合体を示す斜視図である。
【図６】本考案の位置決めツマミを示す斜視図である。
【図７】図１の局部拡大図である。
【図８】位置決め体および位置決めツマミの結合状態を示す斜視図である。
【図９】本考案の灯座を示す分解斜視図である。
【図１０】本考案の灯座を示す斜視図である。
【図１１】本考案の角度調整座とＬＥＤ蛍光灯との組み合わせを示す斜視図である。
【図１２】本考案の灯座の角度調整を示す斜視図である。
【図１３】本考案の灯座の角度調整を示す斜視図である。
【図１４】従来技術によるＬＥＤ蛍光灯および灯座を示す斜視図である。
【考案を実施するための形態】
【００１０】
以下、本考案の実施形態を図面に基づいて説明する。
【００１１】
図１２および図１３を参照する。図１２は、本考案の灯座の角度調整を示す斜視図である。。図１３は、本考案の灯座の角度調整を示す斜視図である。図１２および図１３に示すように、灯座１０の両端のソケット１１に設けたＬＥＤ蛍光灯８０が１８０度揺動するように、角度調整座Ａがソケット１１上に設けられている。
【００１２】
図１および図２を参照する。図１は、本考案の一実施形態による角度調整座を示す分解斜視図である。図２は、図１の回転体外側部の内側を示す図である。図１および図２に示すように、本考案の角度調整座は、側面部２０、回転体内側部３０および回転体外側部４０から構成される。回転体外側部４０は、一体成形された複数の結合突起４２、複数の差込４３、二つの穿孔４４、外周に沿って１８０度の範囲に溝列を形成された嵌合溝片側４１、および後部の断面において対称な結合座４５を有する。
【００１３】
図３を参照する。図３は、図１の回転体内側部の内側を示す図である。図３に示すように、回転体内側部３０は、一体成形され、複数の挿着孔３３、結合孔３２及び前記回転体外側部４０の１８０度の範囲を有する嵌合溝片側４１に対応する嵌合溝片側３１を有する。
【００１４】
図７を参照する。図７は、図１の局部拡大図である。図７に示すように、回転体外側部４０の複数の結合突起４２および複数の差込４３は、回転体内側部３０の複数の挿着孔３３および複数の結合孔３２に対応するように組み合わされる。回転体内側部３０および回転体外側部４０の嵌合溝片側３１および嵌合溝片側４１は、組み合わさり、１８０度回転して揺動する円状嵌合溝を形成する。
【００１５】
図９を参照する。図９は、本考案の灯座を示す分解斜視図である。図９に示すように、回転体内側部３０および回転体外側部４０の結合体は、側面部２０に装着される。側面部２０は、上部に透孔２１が設けられ、下部に嵌座２２が設けられている。
【００１６】
図４、５、６および８を参照する。図４は、本考案の位置決め体５０を示す分解斜視図である。図５は、本考案の嵌合体６０を示す斜視図である。図６は、本考案の位置決めツマミ７０を示す斜視図である。図８は、位置決め体５０および位置決めツマミ７０の結合状態を示す斜視図である。図４、５、６および８に示すように、本考案は、位置決め体５０、嵌合体６０および位置決めツマミ７０をさらに具える。位置決めツマミ７０は、ツマミ７４の底面に複数の位置決め溝７３を設けている。ツマミ７４は、下方に回転棒７１を延伸して一体成形している。また、末端にストッパ７２を一体成形している。
【００１７】
位置決め体５０は、左ブロック５１および右ブロック５２からなる。左ブロック５１は、二つの凹部５４を設けている。右ブロック５２は、両側に嵌合突起５５をそれぞれ設け、上部に位置決め突起５６を設けている。左ブロック５１および右ブロック５２は、凹部５４および突起５３により組み合わされ、位置決めツマミ７０の回転棒７１（図８参照）に嵌着される。
【００１８】
図５を参照する。図５に示すように、嵌合体６０は、両側に嵌合突起６１をそれぞれ設けている。
【００１９】
図９および図１０を参照する。図１０は、本考案の灯座を示す斜視図である。図９および図１０に示すように、位置決めツマミ７０および位置決め体５０の結合体は、側面部２０の透孔２１中に装着されることにより、位置決め体５０の右ブロック５２の嵌合突起５５が側面部２０の内壁面上に嵌合され、位置決めツマミ７０のストッパ７２が回転体内側部３０および回転体外側部４０の間で構成される円状嵌合溝（嵌合溝片側３１および嵌合溝片側４１）中に配置される。これと同時に、位置決めツマミ７０のツマミ７４は、位置決め溝７３が位置決め体５０の右ブロック５２の位置決め突起５６に嵌合して固定されるため、回転位置決めの作用を有するようになる。
位置決めツマミ７０のストッパ７２がツマミの回転操作に伴い、円状嵌合溝内で縦方向において、固定作用、横方向において、通過作用をそれぞれ有するため、回転体内側部３０および回転体外側部４０は、位置決め固定および揺動による角度調整作用（回転体外側部４０を回転して１８０度の範囲で揺動調整可能）を有する。 
【００２０】
嵌合体６０は、側面部２０の嵌座２２中に装着され、嵌合体６０の嵌合突起６１により側面部２０の内壁面に嵌合する。嵌合体６０の突出部分は、回転体内側部３０および回転体外側部４０からなる結合体の溝にぴったり位置し、側面部２０と、回転体内側部３０および回転体外側部４０からなる結合体とを完全に組み合わされて、側面部２０と、回転体内側部３０および回転体外側部４０からなる結合体とが離脱または分離するのを防ぐ。
【００２１】
図１１を参照する。図１１は、本考案の角度調整座とＬＥＤ蛍光灯との組み合わせを示す斜視図である。図１１に示すように、本考案の角度調整座Ａは、ＬＥＤ蛍光灯８０およびアルミニウム押出型放熱体を装着する結合座４５（図２参照）を、回転体外側部４０の後部内面に設けている。内部電源線は、側面部２０の８１に設けられ、ＬＥＤ蛍光灯８０の角度調整揺動に影響を及ぼさない。
【００２２】
灯座１０上のソケット１１は、固定され、角度調整揺動ができないが、回転体内側部３０および回転体外側部４０からなる結合体が角度調整揺動の特性を有するため、ＬＥＤ蛍光灯８０は角度調整揺動ができるようになった。位置決めツマミ７０のストッパ７２と、回転体内側部３０および回転体外側部４０からなる結合体との作用により、位置決めおよび角度調整揺動の作用を有する。
【００２３】
本考案の角度調整座をＬＥＤ蛍光灯に組み合わせる場合、両端に１つずつ装着する必要がある。また、本考案の角度調整座を装着する構造が異なる場合、回転体外側部４０内の結合座４５を変えればよい。
【００２４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２５】
１０  灯座
１１  ソケット
２０  側面部
２１  透孔
２２  嵌座
３０  回転体内側部
３１  嵌合溝片側
３２  結合孔
３３  挿着孔
４０  回転体外側部
４１  嵌合溝片側
４２  結合突起
４３  差込
４４  穿孔
４５  結合座
５０  位置決め体
５１  左ブロック
５２  右ブロック
５３  突起
５４  凹部
５５  嵌合突起
５６  位置決め突起
６０  嵌合体
６１  嵌合突起
７０  位置決めツマミ
７１  回転棒
７２  ストッパ
７３  位置決め溝
７４  ツマミ
８０  ＬＥＤ蛍光灯
８１  導電部
Ａ  角度調整座
【図１】
0003175654.tif 000003
【図２】
0003175654.tif 000004
【図３】
0003175654.tif 000005
【図４】
0003175654.tif 000006
【図５】
0003175654.tif 000007
【図６】
0003175654.tif 000008
【図７】
0003175654.tif 000009
【図８】
0003175654.tif 000010
【図９】
0003175654.tif 000011
【図１０】
0003175654.tif 000012
【図１１】
0003175654.tif 000013
【図１２】
0003175654.tif 000014
【図１３】
0003175654.tif 000015
【図１４】
0003175654.tif 000016